(57)【要約】      （修正有）【課題】使用者の身体部位のうち、特に、脹脛をマッサージする場合に、使用者の身長変化に応じて、位置調節手段によりマッサージモジュールの位置変更を通して、弾力的に対応し得るエアポケット式のマッサージ装置を提供する。【解決手段】使用者の身体部位を支えるベッド部１００と、ベッド部１００に配置され、多数のエアポケットで構成されるマッサージモジュール２００と、ベッド部１００に備えられ、マッサージモジュール２００の位置変更を可能にする位置調節手段と、を含んだ構成とする。【選択図】図１
2019141656.tif 000002
【特許請求の範囲】
【請求項１】
使用者の身体部位を支えるベッド部（１００）と、
前記ベッド部（１００）に配置され、多数のエアポケットで構成されるマッサージモジュール（２００）と、
前記ベッド部（１００）に備えられ、前記マッサージモジュール（２００）の位置変更を可能にする位置調節手段（３００）と、
を含んでなるエアポケット式のマッサージ装置。
【請求項２】
前記位置調節手段（３００）は、
前記マッサージモジュール（２００）のエアポケットが取り付けられる移送プレート（３１０）と、
前記ベッド部に備えられるガイド（３２０）と、
前記移送プレート（３１０）に備えられ、前記ガイド（３２０）に沿って移動する移送部（３３０）と、を含んでなることを特徴とする請求項１に記載のエアポケット式のマッサージ装置。
【請求項３】
前記マッサージモジュール（２００）は、
内側に複数に配置される狭幅状の第１エアポケット（２１０）と、
前記第１エアポケット（２１０）に対応され、外側に配置される広幅状の第２エアポケット（２２０）と、を含んでなることを特徴とする請求項１に記載のエアポケット式のマッサージ装置。
【請求項４】
前記マッサージモジュール（２００）は、
前記各エアポケット（２１０、２２０）が収納され、前記エアポケット（２１０、２２０）の駆動により伸縮が可能なように構成される伸縮性外皮（２３０）を更に含むことを特徴とする請求項３に記載のエアポケット式のマッサージ装置。
【請求項５】
前記伸縮性外皮（２３０）の一側には、
シワ部２３１が更に備えられていることを特徴とする請求項４に記載のエアポケット式のマッサージ装置。
【発明の詳細な説明】
【技術分野】
【０００１】
本発明は、使用者の身体部位のうち、特に、脹脛をマッサージする場合、使用者の身長変化に応じて位置調節手段によって、マッサージモジュールの位置を変更し得るエアポケット式のマッサージ装置に関するものである。
【背景技術】
【０００２】
従来のマッサージ装置としては、特許文献１（発明の名称：下肢静脈瘤予防及び脹脛ダイエットに効果的な温熱マッサージ電動按摩椅子）が開示されている。
【０００３】
前記特許文献１の従来技術は、密閉され、収縮及び膨張可能であり、電動按摩椅子の一側に備えられるエアーバックと、前記エアーバックの一側面部に備えられ、前記エアーバックの一側面と面接合し、エアーバックと面接合する一側面全体を加熱し、前記密閉されたエアーバック内部の空気を加熱して、前記エアーバックを膨張させる面状発熱体と、前記エアーバックと接合しない面状発熱体の他の側面部に備えられ、前記面状発熱体を加圧する加圧部と、を含んで構成される。
【０００４】
前記従来技術によれば、密閉されたエアーバック内部空気を加熱し、エアーバックを膨張させ、加熱された空気を利用して温熱治療効果を得ることによって、エアコンプレッサー及びヒーターのような追加構成要素がなく、簡単な構成だけで、エアーバック加圧按摩及び温熱治療効果を得ることができる。
【０００５】
また、前記従来技術は、使用者の脹脛や、脚が載置できるように支持部がそれぞれ備えられ、これら支持部にエアーバックが備えられ、マッサージ作業を行えるように構成されている。
【０００６】
しかし、従来技術は、支持部が常に突出された状態で維持されるので、外観上美観が良くないという問題があり、これにより、装置が大きくなってしまう問題と、保管や取り扱いが容易でないという問題があった。
【０００７】
また、使用者の身長の違いから、脹脛の長さも変わり、これにより、身長が高い使用者と身長が低い使用者と間には指圧位置が変わってしまうため、従来技術のようにエアーバックの位置が固定されている場合には正確な指圧位置にエアーバックを当てることができなく、マッサージ効果を低減させてしまうだけでなく、使用者の満足度が落ちるという問題があった。
【先行技術文献】
【特許文献】
【０００８】
【特許文献１】韓国特許  第１０−１２８８４１０号
【発明の概要】
【発明が解決しようとする課題】
【０００９】
本発明は、前述したような問題点を解決するためのものであり、
本発明の目的は、使用者の身体部位のうち、特に、脹脛をマッサージする場合、使用者の身長変化に応じて位置調節手段によるマッサージモジュールの位置変更を通して、使用者の身長変化に弾力的に対応できるようにすることにある。
【００１０】
本発明の別の目的は、マッサージモジュールのエアポケット幅を異なるようにして、各エアポケットと使用者の脹脛との接触位置を異なるようにすることによって、マッサージ作業時、使用者の脚が広がらなく、引き寄せられるようにして、マッサージ効果を最大化させるとこにある。
【００１１】
本発明の更に別の目的は、エアポケットが収納される伸縮性外皮を導入し、エアポケットの膨張及び収縮時変形を収容し、これにより、マッサージ装置のサイズを小さくすることができ、保管や取り扱いを容易にすることにある。
【課題を解決するための手段】
【００１２】
本発明に係るエアポケット式のマッサージ装置は、使用者の身体部位を支えるベッド部と、ベッド部に配置され、多数のエアポケットで構成されるマッサージモジュールと、ベッド部に備えられてマッサージモジュールの位置変更を可能にする位置調節手段と、を含んでなる。
【００１３】
本発明に係る移送モジュールは、マッサージモジュールのエアポケットが取り付けられる移送プレートと、ベッド部に備えられるガイドと、移送プレートに備えられ、ガイドに沿って移動する移送部と、を含んでなることを特徴とする。
【００１４】
本発明に係るマッサージモジュールは、内側に配置される狭幅状の第１エアポケットと、第１エアポケットに対応され、外側に配置される広幅状の第２エアポケットと、を含んでなることを特徴とする。
【００１５】
本発明に係るマッサージモジュールは、前記各エアポケットが収納され、エアポケットの駆動により伸縮が可能なように構成される伸縮性外皮を更に含むことを特徴とする。
【００１６】
本発明に係る伸縮性外皮の一側には、シワ部が更に備えられていることを特徴とする。
【発明の効果】
【００１７】
本発明に係るエアポケット式のマッサージ装置は、使用者の身体部位のうち、特に、脹脛をマッサージする場合、使用者の身長変化に応じて位置調節手段によるマッサージモジュールの位置変更を通して、使用者の身長変化に弾力的に対応することによって、使用者の身長差による不便を除去して、使用の便宜性を向上させることができる。
【００１８】
本発明は、マッサージモジュールのエアポケット幅を異なるようにし、各エアポケットと使用者の脹脛との接触位置を異なるようにすることによって、マッサージ作業時、使用者の脚が広がらなく、引き寄せられるようにして、マッサージ効果を最大化させることができる。
【００１９】
本発明は、使用者の身長差によりマッサージモジュールの位置変更ができるので、使用者の身長差を考慮することなく、最小数量のエアポケットだけで最適な配置構造を実現することができ、エアポケットの数量を低減させることができるだけでなく、これを通してコストを削減することができる。
【００２０】
本発明は、エアポケットが収納される伸縮性外皮を導入し、エアポケットの膨張及び収縮時変形を収容し、これにより、マッサージ装置のサイズを小さくすることができ、保管や取り扱いが容易になる。
【００２１】
本発明は、マッサージ作業が平面上で行われるように構成されることによって、マッサージ作業時、使用者がより楽な姿勢が取れるため、より効率的なマッサージ効果を得ることができる。
【図面の簡単な説明】
【００２２】
【図１】本発明に係るエアポケット式のマッサージ装置を示す斜視図である。
【図２】本発明に係るエアポケットで構成されたマッサージモジュールを示す拡大斜視図である。
【図３】本発明に係るマッサージモジュールの作動状態を示す断面図である。
【図４】本発明に係る位置調節手段を示す平面図である。
【発明を実施するための形態】
【００２３】
前記したような本発明に係るエアポケット式のマッサージ装置を、添付された図面を参照して説明する。
【００２４】
図１〜図４に示される通りに、本発明に係るエアポケット式のマッサージ装置は、ベッド部１００と、多数のエアポケット２１０、２２０で構成されるマッサージモジュール２００と、マッサージモジュール２００の移送を可能にする位置調節手段３００と、を含んで構成される。
【００２５】
まず、図１に示されたように、本発明に係るベッド部１００は、使用者が横になるか、座れるように構成され、使用者の上半身や下半身を支える。
【００２６】
そのために、ベッド部は多様な形状で製作が可能であり、例えば、ベッドやマット形態で水平に配置されるか、椅子のように背もたれと、シート及びシート下方に配置される脚支持部などで構成される。
【００２７】
本発明では、図１に示されるように、ベッド部１００は、ベッドやマット形態で構成され、使用者の上半身を支え、両側面に支持部材１３０が連結された第１ベッド部１１０と、下半身を支える第２ベッド部１２０とからなる場合を一実施例として前提に説明する。
【００２８】
この場合、ベッド部１００は、使用上の便宜性や取り扱い上の便宜のために、第１ベッド部１１０と、第１ベッド部１１０が折り畳まれた形態で構成されるか、図１のように、第２ベッド部１２０が第１ベッド部１１０からスライドされ、広がるか、重なるように構成されてもよい。
【００２９】
このとき、ベッド部がスライディングタイプで構成される場合には、第２ベッド部１１０に支持台１４０が備えられ、この支持台１４０にオートスライディングモジュールが備えられ、自動駆動されるようにすることが好ましいが、必要に応じて、使用者が直接手作業で各ベッド部を広げ、重ねられるようにすることも可能である。
【００３０】
従って、本発明に係るベッド部を広げると、第１ベッド部１１０には、使用者の上半身が位置するようになり、第２ベッド部１２０には使用者の下半身、特に、脹脛部位が位置するようになるので、水平面上でマッサージ作業が行われる。
【００３１】
次に、図１〜図３に示されるように、本発明に係るマッサージモジュール２００は、多数のエアポケット２１０を構成しており、このエアポケット２１０の収縮及び膨張を通してマッサージ作業を行うことになる。
【００３２】
まず、本発明に係るマッサージモジュール２００は、各エアポケット２１０に空気を注入するためにエアコンプレッサー（不図示）が備えられ、このエアコンプレッサーと各エアポケット２１０は注入管を介して連結される。
【００３３】
本発明に係るエアポケットは、使用者の下半身、特に、脹脛部位をマッサージすることになるが、この場合、従来のエアポケット式のマッサージ装置ではエアポケットが膨張する場合、エアポケットと使用者の脹脛に接する部分が同じ高さに位置することになるので、マッサージ作業時、使用者の脚が広がることがある。
【００３４】
従って、本発明では、エアポケットのサイズと配置構造を以下の通りに改善することによって、前記したようなマッサージ作業時、使用者の脚が広がらないように引き寄せることができる。
【００３５】
そのために、マッサージモジュール２００のエアポケットは、内側に配置される狭幅の状第１エアポケット２１０と、第１エアポケット２１０に対応され、外側に配置される広幅状の第２エアポケット２２０と、を含んでなる。
【００３６】
まず、第１及び第２エアポケット２１０、２２０の幅は、図３に示されるように、エアポケットを正面からみたとき、概略的に左右側方向への長さを意味する。
【００３７】
従って、各エアポケットの幅は、第１エアポケット２１０が第２エアポケット２２０より小さく形成される。
【００３８】
これは、図３に示されるように、エアポケットにエアーが供給され、膨張する場合、内側に配置される第１エアポケット２１０は、使用者の脹脛内側下部位置に接することになり、第２エアポケット２２０は使用者の脹脛外側上部の位置に接することになる。
【００３９】
即ち、第１エアポケット２１０は、脹脛を内側から上方へ力を加えることになり、同時に第２エアポケット２２０は、脹脛を外側から下方へ力を加えることになるので、第２エアポケット２２０による加圧力で使用者の脚は自然に内側に引き寄せられるようになる。
【００４０】
これは、各エアポケット２１０、２２０が膨張され、同じ圧力が発生する場合、第１エアポケット２１０が脹脛の下部位置を支え、テコ（梃子）の役割を果たすことになり、この状態で第２エアポケット２２０が脹脛の上部で圧力を加えることになるので、全体的な力は内側方向へ作用するからである。
【００４１】
結果的に、本発明に係るエアポケットを第１及び第２エアポケット２１０、２２０の指圧位置を変えながらマッサージ作業時、使用者の脚が広がることを防止すると共に、マッサージ効果も高めることができる。
【００４２】
また、本発明に係るマッサージモジュール２００は、第１エアポケット２１０と第２エアポケット２２０との幅が異なるため、マッサージ作業時、指圧面積に差が発生するので、相対的に幅の狭い第１エアポケット２１０を複数構成して、第２エアポケット２２０に対応する指圧面積として維持できるようにすることが好ましい。
【００４３】
また、本発明に係るマッサージモジュール２００の各エアポケットは、後記した移送プレート３１０の上部に取り付けられ、第１及び第２エアポケット２１０、２２０間には使用者の脹脛が置かれる脹脛載せ部２４０が配置される。
【００４４】
この場合、各エアポケット２１０、２２０は、移送プレート３１０の一側に連結される伸縮性外皮２３０に収納されており、この伸縮性外皮２３０は、その外側部にシワ部２３１が連結され、このシワ部２３１は、エアポケット２１０、２２０の収縮及び膨張時、伸縮を通してエアポケット２１０、２２０の動作を収容する。
【００４５】
ただ、シワ部２３１は、伸縮性が必要とされるという点で弾性力を有する素材であるゴムや、スパンデックス（ｓｐａｎｄｅｘ）等のような材質を使用することが好ましい。
【００４６】
即ち、図３の（ａ）のように、エアポケット２１０、２２０が収縮した場合には、伸縮性外皮２３０のシワ部２３１は収縮した状態で維持され、図３の（ｂ）のように、エアポケット２１０、２２０が膨張する場合、伸縮性外皮２３０のシワ部２３１が伸張され、このとき、脹脛載せ部２４０に位置する使用者の脹脛を加圧し、再びエアポケット２１０、２２０が収縮と共にシワ部２３１が収縮する過程を繰り返してマッサージ作業を行う。
【００４７】
さらに、図１に示されるように、本発明に係る第２ベッド部１２０には、温熱部２５０が備えられ、マッサージ時、使用者の脚全体に温熱を供給して、温熱湿布効果を追加的に付与することによって、マッサージ効果を更に高められるようにすることも可能である。
【００４８】
従って、温熱部２５０は、第２ベッド部に全体に熱線が配置されており、この場合、各エアポケット２１０、２２０間の脹脛載せ部２４０を基準に、上部と下部に配置される熱線と、脹脛載せ部２４０上に配置される熱線とに区別される。
【００４９】
この場合、温熱部２５０は、各部分の熱線は異時又は同時制御が可能であり、例えば、脹脛載せ部２４０の上部と下部に位置する熱線は同時に稼動し、脹脛載せ部２４０に配置される熱線だけを独立して稼動するか、又は全体熱稼動時稼動することができ、必要に応じて、各部分に配置された熱線が、それぞれ独立して稼動するように制御され得る。
【００５０】
さらに、温熱部は、添付された図面には示されていないが、前述したような熱線以外に、第２ベッド部の下部にランプや、板状の発熱体などが配置され、同じ機能を行っていてもよい。
【００５１】
一方、図４に示されたように、本発明に係る位置調節手段３００は、マッサージモジュール２００の位置を可変させることができるようにして、マッサージ作業の便宜性を保障するようにする役割を果たす。
【００５２】
一般に、使用者である男性と女性は平均的に身長に差があり、同性間においても身長に差がある。
【００５３】
このような場合、ベッド部に使用者が横になる場合、脹脛Ｃの位置は使用者に応じて大きな差が発生することがある。
【００５４】
この場合、マッサージモジュール２００の位置が固定されていたら、使用者がマッサージ作業時、マッサージモジュール２００に脹脛Ｃが置かれるように自ら位置につかなければならない不便がある。
【００５５】
ベッド部のサイズが制限される場合には、身長が高い使用者の場合には、頭の部分がベッド部の外に出ていくか、又は角の部分に位置することになり、不便さは倍増し得る。
【００５６】
マッサージモジュール２００の位置が固定された場合、使用者の身長差を勘案するとき、身長が高い使用者と低い使用者の両方が使用できるように身長が高い使用者を基準にしてエアポケットを配列させれば、身長が低い使用者が利用する場合には、エアポケットの一部だけが使用される問題があり、このような場合、不要に設けられたエアポケットによってコストが高くなる恐れがある。
【００５７】
反対に、身長が低い使用者を基準にしてエアポケットの数量を減らす場合には、身長が高い使用者の利用時、使用者の脹脛Ｃの一部だけが指圧が可能になり、マッサージ効果を得ることができなく、これにより、装置に対する満足度が落ちる問題がある。
【００５８】
従って、本発明では、このような問題点を解決するために、マッサージモジュール２００の位置を可変させ、調節することができる位置調節手段３００を導入した。
【００５９】
本発明に係る位置調節手段３００は、マッサージモジュール２００のエアポケット２１０、２２０が取り付けられる移送プレート３１０と、ベッド部に備えられるガイド３２０と、移送プレート３１０に備えられ、ガイド３２０に沿って移動する移送部３３０と、を含んで構成される。
【００６０】
まず、位置調節手段３００の移送プレート３１０は、ベッド部、具体的には、第２ベッド部１２０の上部に配置され、その上面には第１及び第２エアポケット２１０、２２０が取り付けられる。
【００６１】
また、位置調節手段３００のガイド３２０は、第２ベッド部１２０上面に一組のレール形態で取り付けられ、位置調節手段３００の移送部３３０は、移送プレート３１０下部に取り付けられ、ガイド３２０に上部に配置される。
【００６２】
この場合、移送部３３０はローラやＬＭガイド、歯車付きモーター、ボールねじなどのような多様な形態の駆動体が導入されることができるだけでなく、調節形態に応じて、使用者が直接マッサージモジュール２００の位置を変更することができる手動タイプや、又はリモートコントロールや、マッサージ装置に取り付けられたコントロール部の操作を通して、マッサージモジュール２００の位置を変更させることができる自動タイプなどが可能である。
【００６３】
前記したように構成された位置調節手段３００によれば、使用者の身長に応じてマッサージモジュール２００の位置を変更して、使用者別に異なる指圧位置にマッサージモジュール２００が正確な位置に移動でき、指圧効果はもちろん、使用上の便宜性を向上させることができるだけでなく、使用者オーダーメード型のマッサージ作業が可能になる。
【００６４】
また、使用者の身長差と関係がなく、エアポケットの数量を適正数で配置させることができるため、エアポケットの数量を低減することができ、これにより、原価を削減することができるようになる。
【００６５】
これと関連して、図２及び図３に示されるように、広幅状の第２エアポケット２２０一つに、狭幅状の第１エアポケット２１０が、二つが一組で編成されるようにすることがエアポケットの数量を低減させながら、指圧効果を高めることができる適正の配置構造であり、必要に応じてエアポケットの配置構造の変更や、数量の増減が可能になる。
【００６６】
前記したようなエアポケット式のマッサージ装置は、前述した従来のマッサージ装置とは違って、使用者の下半身を収容し、支持するために別途の構造物を設置しなくても済むので、外観上美観を良くすることができる。
【００６７】
また、別途の構造物を設置する必要がないので、製作上のコストも削減でき、マッサージ装置の構造をコンパクトに構成することができ、保管や取り扱い上の便宜性もまた、向上させることができるようになる。
【００６８】
本発明に係るエアポケット式のマッサージ装置の制御は、第１ベッド部に配置されるマッサージモジュールは、コントローラーによって制御され、第２ベッド部には支持台に備えられたオートスライディングモジュールにサブコントローラーが備えられる。
【００６９】
この場合、サブコントローラーは、オートスライディングモジュール、エアコンプレッサー、位置調節手段及び温熱部などを制御調節することになる。
【００７０】
以上、添付された図面を参照して本発明のエアポケット式のマッサージ装置を特定形状及び方向を中心に説明したが、本発明は当業者によって多様な変形及び変更が可能であり、このような変形及び変更は、いずれも本発明の技術的範囲に含まれる。
【符号の説明】
【００７１】
Ｃ  脹脛
１００  ベッド部
１１０  第１ベッド部
１２０  第２ベッド部
１３０  支持部材
１４０  支持台
２００  マッサージモジュール
２１０  第１エアポケット
２２０  第２エアポケット
２３０  伸縮性外皮
２３１  シワ部
２４０  脹脛載せ部
２５０  温熱部
３００  位置調節手段
３１０  移送プレート
３２０  ガイド
３３０  移送部
【図１】
2019141656.tif 000003
【図２】
2019141656.tif 000004
【図３】
2019141656.tif 000005
【図４】
2019141656.tif 000006
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
使用者の上半身を支える第１ベッド部（１１０）及び下半身を支える第２ベッド部（１２０）を含むベッド部（１００）と、
前記ベッド部（１００）に配置され、多数のエアポケットで構成されるマッサージモジュール（２００）と、
前記マッサージモジュール（２００）のエアポケットが取り付けられる移送プレート（３１０）が備えられ、前記ベッド部（１００）に備えられ、前記マッサージモジュール（２００）の位置変更を可能にする位置調節手段（３００）と、
を含み、
前記マッサージモジュール（２００）は、前記移送プレート（３１０）に配置される第１エアポケット（２１０）と、第２エアポケット（２２０）を含み、
前記第２ベッド部（１２０）に温熱を供給する温熱部（２５０）が具備されるエアポケット式のマッサージ装置。
【請求項２】
前記位置調節手段（３００）は、
前記ベッド部に備えられるガイド（３２０）と、
前記移送プレート（３１０）に備えられ、前記ガイド（３２０）に沿って移動する移送部（３３０）と、を含んでなることを特徴とする請求項１に記載のエアポケット式のマッサージ装置。
【請求項３】
前記第１エアポケット（２１０）は、狭幅状に形成され、
前記第２エアポケット（２２０）は、前記第１エアポケット（２１０）よりも大きいサイズを有する広幅状に形成されることを特徴とする請求項１に記載のエアポケット式のマッサージ装置。
【請求項４】
前記マッサージモジュール（２００）は、
前記各エアポケット（２１０、２２０）が収納され、前記エアポケット（２１０、２２０）の駆動により伸縮が可能なように構成される伸縮性外皮（２３０）を更に含むことを特徴とする請求項３に記載のエアポケット式のマッサージ装置。
【請求項５】
前記伸縮性外皮（２３０）の一側には、
シワ部２３１が更に備えられていることを特徴とする請求項４に記載のエアポケット式のマッサージ装置。
【外国語明細書】
2019141656000001.pdf